(57)【要約】【課題】立体視画像を再生できないような環境において、容易にかつ違和感のないように立体視画像の内容を確認できるようにする。【解決手段】２つの撮像装置１１，１２により同一の被写体Ｈを視差を持って撮影して立体視画像３Ａ，３Ｂを生成する。画像処理装置１３において立体視画像３Ａ，３Ｂを立体視用のフォーマットに変換するとともに、立体視画像３Ｂを複製して平面画像２を生成する。立体視画像３Ａ，３Ｂおよび平面画像２を互いに関連づけて保存装置１４に保存する。【選択図】          図１
2004356997.tif 000002
【特許請求の範囲】
【請求項１】
同一被写体を複数の視点から撮影することにより取得された複数の立体視画像の入力を受け付ける入力手段と、
前記複数の立体視画像の内容を表す平面画像を生成する平面画像生成手段とを備えたことを特徴とする立体視画像管理装置。
【請求項２】
前記平面画像生成手段は、少なくとも１つの前記立体視画像から前記平面画像を生成する手段であることを特徴とする請求項１記載の立体視画像管理装置。
【請求項３】
前記複数の立体視画像が前記同一被写体を３以上の視点から撮影することにより取得されてなる場合、前記平面画像生成手段は、前記複数の視点のうち中央の視点から撮影することにより取得された立体視画像を前記平面画像として生成する手段であることを特徴とする請求項１記載の立体視画像管理装置。
【請求項４】
前記複数の立体視画像と前記平面画像とを関連づけて保存する保存手段をさらに備えたことを特徴とする請求項１から３のいずれか１項記載の立体視画像管理装置。
【請求項５】
前記保存手段は、前記平面画像および／または前記複数の立体視画像に、互いに関連する旨を表す情報を付与することにより、前記複数の立体視画像と前記平面画像とを関連づける手段であることを特徴とする請求項４記載の立体視画像管理装置。
【請求項６】
前記複数の立体視画像のすべてに前記互いに関連する旨を表す情報を付与することを特徴とする請求項５記載の立体視画像管理装置。
【請求項７】
前記同一被写体を複数の視点から撮影することにより前記複数の立体視画像を取得する撮影手段をさらに備えたことを特徴とする請求項１から６のいずれか１項記載の立体視画像管理装置。
【請求項８】
同一被写体を複数の視点から撮影することにより取得された複数の立体視画像の入力を受け付け、
前記複数の立体視画像の内容を表す平面画像を生成することを特徴とする立体視画像管理方法。
【請求項９】
同一被写体を複数の視点から撮影することにより取得された複数の立体視画像の入力を受け付ける手順と、
前記複数の立体視画像の内容を表す平面画像を生成する手順とを有することを特徴とする立体視画像管理方法をコンピュータに実行させるためのプログラム。
【発明の詳細な説明】
【０００１】
【発明の属する技術分野】
本発明は、複数の画像（静止画像および動画像を含む）を組み合わせ、視差を利用して立体視を行うことが可能な立体視画像を管理する立体視画像管理装置および方法並びに立体視画像管理方法をコンピュータに実行させるためのプログラムに関するものである。
【０００２】
【従来の技術】
複数の画像を組み合わせて表示することにより、視差を利用して立体視できることは知られている。このような立体視ができる立体視画像は、同一の被写体を複数の撮像装置により撮影を行うか、または１回の撮影により立体視可能な複数の立体視画像を生成することが可能な撮像装置により撮影を行うことにより取得することができる。このように取得された複数の立体視画像は、別々のファイルとしてまたは１つのファイルにまとめられた上で、既存の平面画像と同様のフォーマットまたは何らかの立体視画像専用のフォーマットにしたがって保存される。そして複数の立体視画像を並べて表示し、偏光メガネや赤青メガネを用いて表示された複数の立体視画像を観察することにより、画像を立体視することができる。また、偏光メガネ等を使用しなくても、立体表示モニタに表示して立体視することも可能である。
【０００３】
また、立体視に必要な２つの平面動画像を別々に保存し、再生時に２つの平面動画像の同期を取ることにより立体視を実現する装置が提案されている（特許文献１参照）。また、装置規模を大きくすることなく複数の立体視画像を保存するために、複数の立体視画像を縮小して単一の画像に合成するようにしたシステムも提案されている（特許文献２参照）。
【０００４】
【特許文献１】
特開平９−１５４１６１号公報
【０００５】
【特許文献２】
特開２００３−１０２０３８号公報
【０００６】
【発明が解決しようとする課題】
ところで立体視画像を立体視可能に再生するためには、上述したように偏光メガネや赤青メガネあるいは立体表示モニタ等の立体視専用の手段が必要である。このため、このような手段がない場合、とくに立体視画像が専用のファイルフォーマットで記録されている場合には、立体視画像を表示することができず、その結果、立体視画像がどのような画像であるかその内容すら確認することができないこととなる。
【０００７】
また、とくに立体視画像が１つのファイルにまとめられている場合や、上記特許文献２に記載されたシステムのように複数の画像から単一の立体視画像を生成した場合には、立体視画像を表示したとしても、偏光メガネ等がないと複数の不自然な画像が並んで表示されるのみであり、見ていて非常に違和感があるものとなる。さらに、立体視画像が別々のファイルに記録されている場合には、内容を確認する際にどのファイルを再生すればよいのかが分からず、再生する者が混乱してしまう。
【０００８】
また、立体視画像を長時間見続けていると目が疲れるが、立体視画像の表示を中断し、立体視画像ではない平面画像を表示する場合にも上記と同様の問題が生じる。
【０００９】
本発明は上記事情に鑑みなされたものであり、立体視画像を再生できないような環境において、容易にかつ違和感のないように立体視画像の内容を確認できるようにすることを目的とする。
【００１０】
【課題を解決するための手段】
本発明による立体視画像管理装置は、同一被写体を複数の視点から撮影することにより取得された複数の立体視画像の入力を受け付ける入力手段と、
前記複数の立体視画像の内容を表す平面画像を生成する平面画像生成手段とを備えたことを特徴とするものである。
【００１１】
「立体視画像」とは複数同時に表示して偏光メガネ等を用いて観察したり、立体視モニタに表示したりすることにより、見る者が立体視することが可能な画像をいう。なお、立体視画像としては静止画像および動画像の双方を含む。
【００１２】
「平面画像」とは一般的な画像ビューアにより単独で表示することが可能な汎用のファイル形式の画像であり、立体視画像と同様に静止画像および動画像の双方を含む。
【００１３】
なお、本発明による立体視画像管理装置においては、前記平面画像生成手段は、少なくとも１つの前記立体視画像から前記平面画像を生成する手段であってもよい。
【００１４】
また、本発明による立体視画像管理装置においては、前記複数の立体視画像が前記同一被写体を３以上の視点から撮影することにより取得されてなる場合、前記平面画像生成手段は、前記複数の視点のうち中央の視点から撮影することにより取得された立体視画像を前記平面画像として生成する手段であってもよい。
【００１５】
なお、視点が奇数の場合には中央の視点から撮影することにより取得された立体視画像を平面画像として生成すればよいが、視点が偶数の場合には中央の２つの視点のうちのいずれか一方の視点から撮影することにより取得された立体視画像を平面画像として生成すればよい。
【００１６】
また、本発明による立体視画像管理装置においては、前記複数の立体視画像と前記平面画像とを関連づけて保存する保存手段をさらに備えるものとしてもよい。
【００１７】
この場合、前記保存手段は、前記平面画像および／または前記複数の立体視画像に、互いに関連する旨を表す情報を付与することにより、前記複数の立体視画像と前記平面画像とを関連づける手段であってもよい。
【００１８】
とくに、前記複数の立体視画像のすべてに前記互いに関連する旨を表す情報を付与するようにしてもよい。
【００１９】
また、本発明による立体視画像管理装置においては、同一被写体を複数の視点から撮影することにより前記複数の立体視画像を取得する撮影手段をさらに備えるものとしてもよい。
【００２０】
本発明による立体視画像管理方法は、同一被写体を複数の視点から撮影することにより取得された複数の立体視画像の入力を受け付け、
前記複数の立体視画像の内容を表す平面画像を生成することを特徴とするものである。
【００２１】
なお、本発明による立体視画像管理方法をコンピュータに実行させるためのプログラムとして提供してもよい。
【００２２】
【発明の効果】
本発明によれば、複数の立体視画像の内容を表す平面画像を生成するようにしたため、立体視画像を観察するための専用の手段がなくても、平面画像を表示することにより、容易に立体視画像の内容を確認することができる。また、平面画像は単一の画像であるため、再生された画像を観察しても違和感のないものとなる。また、多数の立体視画像を見ている途中において立体視画像の表示を中止したい場合には、立体視画像に代えて平面画像を表示することにより、立体視画像の内容を確認しつつも目の疲労を避けることができる。
【００２３】
また、少なくとも１つの立体視画像から平面画像を生成することにより、別に平面画像を撮影して用意する必要がなくなるため、容易に平面画像を得ることができる。
【００２４】
また、同一被写体を３以上の視点から撮影することにより複数の立体視画像を取得した場合、中央に位置する画像ほど被写体を正面から捉えている可能性が高い。このため、同一被写体を３以上の視点から撮影することにより複数の立体視画像が取得されてなる場合、複数の視点のうちの中央の視点から撮影することにより取得された立体視画像を平面画像として生成することにより、立体画像の内容を確認しやすくすることができる。
【００２５】
また、複数の立体視画像と平面画像とを関連づけて保存することにより、立体視画像と平面画像とが混在して存在する環境下において、平面画像または立体視画像を参照すれば、それに関連する立体視画像または平面画像が存在するか否かを確認することができ、これにより、立体視画像および平面画像の表示を容易に行うことができる。
【００２６】
この場合、平面画像および／または複数の立体視画像に互いに関連する旨を表す情報を付与することにより、いずれか一方の画像を参照するのみで、平面画像に関連する立体視画像または立体視画像に関連する平面画像が存在するか否かを容易に確認することができる。
【００２７】
とくに複数の立体視画像のすべてに互いに関連する旨を表す情報を付与することにより、立体視画像が３以上存在する場合には、たとえ１つの立体視画像を紛失してしまっても、互いに関連する立体視画像を容易に探し出すことができるため、精度は落ちるものの残りの立体視画像により立体視可能なように立体視画像を表示することができる。
【００２８】
【発明の実施の形態】
以下図面を参照して本発明の実施形態について説明する。図１は本発明の第１の実施形態による立体視画像管理装置を適用した立体視画像撮影システムの構成を示す概略ブロック図である。図１に示すように、本実施形態による立体視画像撮影システムは、２つの撮像装置１１，１２と、各撮像装置１１，１２から出力される立体視画像３Ａ，３Ｂの入力を受け付け、各立体視画像３Ａ，３Ｂを立体視用のフォーマットに変換するとともに、各立体視画像３Ａ，３Ｂから平面画像２を生成する画像処理装置１３と、２つの立体視画像３Ａ，３Ｂおよび平面画像２を関連づけて保存する保存装置１４と、立体視画像３Ａ，３Ｂまたは平面画像２を表示する表示装置１５とを備える。
【００２９】
撮像装置１１，１２は、撮影レンズ、ＣＣＤ等の撮像素子、Ａ／Ｄ変換器等を備えてなり、所定間隔をあけて配置されており、同一の被写体Ｈを撮像装置１１，１２により撮影することにより、撮像装置１１により左目用の立体視画像３Ａが、撮像装置１２により右目用の立体視画像３Ｂが取得される。なお、撮像装置１１，１２が互いに間隔をあけて配置されているため、立体視画像３Ａ，３Ｂは互いに視差を有するものとなる。
【００３０】
画像処理装置１３は、撮像装置１１により取得された立体視画像３Ａおよび撮像装置１２により取得された立体視画像３Ｂを立体視が可能なように立体視用のフォーマットに変換する。また、立体視画像３Ａ，３Ｂのうち、右目用の立体視画像３Ｂを複製することにより、平面表示用のＪＰＥＧ形式の平面画像２を生成する。これにより、本実施形態の立体視画像撮影システムにおいて生成される画像は、図２に示すように左目用の立体視画像３Ａ、右目用の立体視画像３Ｂおよび平面画像２となる。
【００３１】
保存装置１４は立体視画像３Ａ，３Ｂおよび平面画像２を互いに関連づけて保存する、ハードディスク、光ディスク等の記録媒体である。また、保存装置１４は、立体視画像３Ａ，３Ｂおよび平面画像２のタグ情報に、互いに関連づけられている旨の情報を記述することによりこの情報を立体視画像３Ａ，３Ｂおよび平面画像２にそれぞれ付与し、立体視画像３Ａ，３Ｂおよび平面画像２を一組の立体視画像として立体視画像３Ａ，３Ｂおよび平面画像２を関連づけて保存する。
【００３２】
図３は、保存装置１４におけるフォルダ構造を示す図である。図３に示すように、保存装置１４には、ルートフォルダの下層にＤＣＩＭフォルダが作成され、その下層に立体視画像用のＨＯＧＥ＿００１フォルダが作成されている。そして、ＨＯＧＥ＿００１フォルダに、ファイル名がそれぞれＤＳＣＦ０００１．３ＤＬ，ＤＳＣＦ０００１．３ＤＲ，ＤＳＣＦ０００１．ＪＰＧの左目用の立体視画像３Ａ、右目用の立体視画像３Ｂおよび平面画像２が、ＤＳＣＦオブジェクトとして保存される。
【００３３】
図４は立体視画像３Ａ，３Ｂおよび平面画像２のファイル構造を示す図である。なお、ここでは立体視画像３Ａのファイル構造について説明する。図４に示すように、画像ファイル１００には、タグ情報１０２と、１６００×１２００画素のサイズの主画像１０４と、主画像１０２の見出し等に利用される１６０×１２０画素サイズのサムネイル画像１０６とが含まれる。
【００３４】
タグ情報１０２には、撮影年月日、画素数等のＥｘｉｆ情報１０８および立体視画像用の３Ｄ情報１１０が含まれる。３Ｄ情報１１０は、立体視画像数、立体視画像を横方向に並べる数を表す立体視画像横配列数、立体視画像を縦方向に並べる数を表す立体視画像縦配列数、立体視画像の位置を表す立体視画像位置および立体視画像ファイル名の情報を含む。
【００３５】
このような情報が立体視画像３Ａ，３Ｂおよび平面画像２のタグ情報１０２に記述されることにより、立体視画像３Ａ，３Ｂおよび平面画像２が互いに関連づけられる。
【００３６】
立体視画像位置は、本実施形態においては００１および００２の番号が付与された２つの立体視画像が表示されるときの画像を見る者から向かった方向の位置を、横方向位置−縦方向位置の順で表している。具体的には００１が１−１、００２が２−１と表されている。なお、本実施形態においては、００１がファイル名がＤＳＣＦ０００１．３ＤＬの左目用の立体視画像３Ａ、００２がファイル名がＤＳＣＦ０００１．３ＤＲの右目用の立体視画像３Ｂの番号となっている。したがって、立体視画像の表示時に表示装置１５がタグ情報を参照することにより、左目用の立体視画像３Ａが画像を見る者から向かって左側に、右目用の立体視画像３Ｂが向かって右側にそれぞれ表示されることとなる。
【００３７】
表示装置１５は、画像を表示するためのモニタおよび表示する画像のファイル名を入力するためのキーボード、マウス等の入力手段（不図示）を備える。
【００３８】
次いで、本実施形態において行われる処理について説明する。図５は本実施形態において行われる処理を示すフローチャートである。まず、撮像装置１１，１２により被写体Ｈを撮影して２つの立体視画像３Ａ，３Ｂを取得する（ステップＳ１）。続いて、画像処理装置１３が立体視画像３Ａ，３Ｂの入力を受け付け（ステップＳ２）、立体視画像３Ａ，３Ｂを立体視用のフォーマットに変換し（ステップＳ３）、さらに立体視画像３Ｂを複製して平面画像２を生成する（ステップＳ４）。そして、立体視画像３Ａ，３Ｂおよび平面画像２を関連づけて保存装置１４に保存し（ステップＳ５）、処理を終了する。
【００３９】
なお、立体視画像３Ａ，３Ｂの表示時には、表示装置１５において、立体視画像３Ａ，３Ｂのいずれかまたは双方のファイル名を指定することにより、保存装置１４から指定されたファイル名の立体視画像３Ａ，３Ｂが表示装置１５に読み出される。そして、立体視画像３Ａ，３Ｂのタグ情報を参照して立体視画像３Ａ，３Ｂを並べて表示する。これにより、表示装置１５に立体視が可能な画像が表示される。
【００４０】
また、立体視画像３Ａ，３Ｂを表示できない他の表示装置が保存装置１４に接続されている場合において、その表示装置に保存装置１４に保存されている画像を表示したい場合、あるいは表示装置１５において平面画像２のみを表示したい場合には、その表示装置においてファイル名を指定することにより、保存装置１４から平面画像２がその表示装置に読み出されて平面画像２が表示される。
【００４１】
このように、本実施形態によれば、立体視画像３Ａ，３Ｂの内容を表す平面画像２を生成するようにしたため、立体視画像３Ａ，３Ｂを観察するための専用の手段がなくても、単に平面画像２を表示することにより、容易に立体視画像３Ａ，３Ｂの内容を確認することができる。また、平面画像２は単一の画像であるため、再生された画像を観察しても違和感のないものとなる。また、多数の立体視画像３Ａ，３Ｂを見ている途中において立体視画像の表示を中止したい場合には、立体視画像３Ａ，３Ｂに代えて平面画像２を表示することにより、立体視画像３Ａ，３Ｂの内容を確認しつつも、目の疲労を避けることができる。
【００４２】
また、２つの立体視画像３Ａ，３Ｂのうち立体視画像３Ｂを複製して平面画像２を生成しているため、別に平面画像を撮影して用意する必要がなくなり、これにより、容易に平面画像２を得ることができる。
【００４３】
また、立体視画像３Ａ，３Ｂと平面画像２とを関連づけて保存することにより、立体視画像３Ａ，３Ｂと平面画像２とが混在して存在する環境下において、いずれか一方の画像を参照すれば、それに関連する平面画像２または立体視画像３Ａ，３Ｂが存在するか否かを確認することができ、これにより、平面画像２および立体視画像３Ａ，３Ｂの表示を容易に行うことができる。
【００４４】
とくに、立体視画像３Ａ，３Ｂおよび平面画像２のタグ情報に、互いに関連する旨を表す３Ｄ情報を記述することにより、いずれかの画像のタグ情報を参照するのみで、それに関連する立体視画像や平面画像が存在するか否かを確認することができ、これにより、立体視画像の表示を一層容易に行うことができる。
【００４５】
次いで、本発明の第２の実施形態について説明する。図６は本発明の第２の実施形態による立体視画像管理装置を適用した立体視画像カメラの構成を示す概略ブロック図である。図６に示すように、本発明の第２の実施形態による立体視画像カメラ２００には、被写体Ｈを撮像して立体視画像３Ａ，３Ｂを取得する、撮影レンズ、撮像素子等を備えた２つの撮像部２０Ａ，２０Ｂと、立体視画像カメラ２００全体の制御を行うとともに立体視画像３Ａ，３Ｂのサンプリングタイミング制御、記録制御、通信制御および表示制御等を行うＣＰＵ２２と、画像サイズの変更、シャープネス補正、ガンマ補正、コントラスト補正およびホワイトバランス補正等の処理を行う信号処理部２４と、アナログ情報の画像データをデジタルの画像データに変換するＡ／Ｄ変換部２６と、レリーズボタン、モード切替ダイヤル等の撮影者が情報を入力する際に用いる入力部およびＬＥＤ等の各種表示部を備えた入力／表示部２８と、入力／表示部２８の設定情報を入力するインターフェースであるＩ／Ｏ３０とが設けられている。
【００４６】
また、立体視画像カメラ２００には、立体視画像３Ａ，３Ｂを立体視用のフォーマットに変換するとともに、立体視画像３Ａ，３Ｂから平面画像２を生成する２Ｄ／３Ｄ画像処理部３２と、立体視画像３Ａ，３Ｂおよび平面画像２の画像データをＪＰＥＧやモーションＪＰＥＧに代表される手法で圧縮したり、圧縮した画像データを伸張する圧縮／伸張部３４と、立体視画像３Ａ，３Ｂおよび平面画像２を保存する保存部３６とが設けられている。
【００４７】
また、立体視画像カメラ２００には、ＣＰＵ２２の動作プログラムや各種定数が記憶されているＲＯＭおよびＣＰＵ２２が処理を実行する際の作業領域となるＲＡＭにより構成されるシステムメモリ３８と、各種表示を行うＬＣＤ４０と、画像データをＬＣＤ４０に表示するためのＤ／Ａ変換等を行うＬＣＤ制御部４２と、ＣＰＵ２２から指令される表示用の画像データを一時的に記憶しておくＶＲＡＭ等で構成されているフレームメモリ４４と、ＣＰＵ２２から指令されるコード情報を表示する文字やメッセージデータに変換して画像とともにオンスクリーンディスプレイするＯＳＤ４６とが設けられている。なお、電力を各部へ供給するバッテリ４８およびバッテリ制御部５０も設けられている。
【００４８】
このような第２の実施形態による立体視画像カメラ２００においては、２つの撮像部２０Ａ，２０Ｂのそれぞれにより左目用の立体視画像３Ａおよび右目用の立体視画像３Ｂが、上記第１の実施形態における撮像装置１１，１２と同様に取得される。そして、２Ｄ／３Ｄ画像処理部３２において、上記第１の実施形態における画像処理装置１３と同様に、立体視画像３Ａ，３Ｂが立体視用のフォーマットに変換されるとともに、右目用の立体視画像３Ｂが複製されて平面画像２が生成される。立体視画像３Ａ，３Ｂおよび平面画像２は、上記第１の実施形態と同様に互いに関連づけられて保存部３６に保存される。
【００４９】
なお、上記第１および第２の実施形態においては、右目用の立体視画像３Ｂを複製して平面画像２を生成しているが、立体視画像３Ｂを平面画像２と兼用してもよい。このように立体視画像３Ｂと平面画像２とを兼用することにより、保存装置１４や保存部３６の使用容量を節約することができる。
【００５０】
また、図７に示すように、立体視画像３Ａ，３Ｂが、上下に並べられた特殊な立体視用のフォーマットに変換されてＤＳＣＦ０００１．３ＤＦという１つのファイルに構成されてなる場合、フォーマットを変換する前に立体視画像３Ｂを複製して平面画像２を生成することが好ましい。
【００５１】
また、撮像装置への入射光を複数の視線に分割するアダプタを用いて、仮想的に複数の撮像装置を形成することにより、１つの撮像装置（または撮像部）のみを用いて立体視画像を取得する場合がある。このような場合には、撮像装置に設けられた１つの撮像素子から２つの立体視画像を取得しているため、図８（ａ）に示すように１つの画像の横方向のサイズが１／２となるように縮小された２つの立体視画像１１３Ａ，１１３Ｂが得られる。そして、２つの立体視画像１１３Ａ，１１３Ｂを立体視用フォーマットに変換することにより、図８（ｂ）に示すようにファイル名が例えばＤＳＣＦ０００１．３ＤＧの１つの立体視画像１１３が得られる。このような場合にはフォーマットの変換前に右目用の立体視画像１１３Ｂを複製するとともに横方向に２倍に拡大することにより平面画像２を生成すればよい。
【００５２】
また、１つの撮像装置（または撮像部）のみを用いて立体視画像を取得する場合において、図９（ａ）に示すように横方向に縮小することなく横方向が通常の１／２のサイズの立体視画像１２３Ａ，１２３Ｂが取得される場合がある。このような場合には、平面画像２の横方向のサイズが通常の平面画像のサイズの１／２とならないように、右目用の立体視画像１２３Ｂの左右両側に黒色の領域を形成して平面画像２を生成すればよい。この場合、図９（ｂ）に示すようにファイル名がＤＳＣＦ０００１．３ＤＨの１つの立体視画像１２３が得られる。また、図９（ｃ）に示すように、右目用の立体視画像１２３Ｂの上下をカットするとともに２倍に拡大して平面画像２を生成してもよい。
【００５３】
また、撮像素子を横長となるように設置した撮像装置（または撮影部）を１台のみ用いて被写体Ｈを撮影した場合には、図１０（ａ）に示すように横長の画像を２つに分割したサイズの立体視画像１３３Ａ，１３３Ｂが得られる。この場合、２つの立体視画像１３３Ａ，１３３Ｂを立体視用フォーマットに変換することにより、図１０（ｂ）に示すようにファイル名が例えばＤＳＣＦ０００１．３ＤＪの１つの立体視画像１３３が得られる。一方、平面画像２は、右目用の立体視画像１３３Ｂを反時計回りに９０度回転するとともに２倍に拡大することにより生成すればよい。また、図１０（ｃ）に示すように右目用の立体視画像１３３Ｂを回転することなく２倍に拡大して縦長の平面画像２を生成してもよい。
【００５４】
なお、上記各実施形態においては、２つの立体視画像を取得しているが、３以上の立体視画像を取得した場合にも本発明を適用することができる。例えば、３つの立体視画像を取得する立体視画像撮像システムは、図１１に示すように図１に示す第１の実施形態による立体視画像撮像システム１において第３の撮像装置１７を加えることにより、３つの撮像装置１１，１２，１７により被写体Ｈを撮影して立体視画像を取得すればよい。
【００５５】
この場合、図１２に示すように撮像装置１１，１２，１７のそれぞれにより３つの画像が得られるが、平面画像としては、中央の撮像装置１７により取得された立体視画像（３Ｃとする）を複製すればよい。
【００５６】
ここで、３つの撮像装置１１，１２，１７を用いたシステムにおいては、中央の撮像装置１７において取得される立体視画像３Ｃは他の撮像装置１１，１２により取得される立体視画像３Ａ，３Ｂと比較して被写体Ｈを正面から捉えている可能性が高い。このため、中央の撮像装置１７により取得された立体視画像３Ｃを平面画像２として生成することにより、立体視画像の内容を確認しやすくすることができる。
【００５７】
また、３つの撮像装置１１，１２，１７を用いて立体視画像を取得した場合、すべての立体視画像のタグ情報に互いに関連する旨を表す情報を記述しておくことにより、たとえ１つの立体視画像を紛失してしまったとしても、互いに関連する立体視画像を容易に探し出すことができるため、精度は落ちるものの残りの立体視画像により立体視可能なように立体視画像を表示することができる。
【００５８】
なお、図１１に示す実施形態においては、被写体Ｈに対して撮像装置１１，１２，１７を横方向に配列しているが、被写体Ｈに対して縦に並ぶように撮像装置１１，１２，１７を配列した場合にも同様に中央の撮像装置１７により取得された立体視画像３Ｃを複製して平面画像２を生成すればよい。
【００５９】
また、上記各実施形態においては、撮像装置や撮像部により被写体Ｈを撮像した後に直ちに立体視画像および平面画像を生成しているが、立体視画像の撮像のみを行い、後で画像をまとめる際にフォーマットの変換および平面画像の生成を行うようにしてもよい。
【００６０】
また、上記各実施形態においては、立体視画像および平面画像の双方のタグ情報に互いに関連する旨の情報を記述しているが、立体視画像のタグ情報にのみまたは平面画像のタグ情報にのみ互いに関連する旨の情報を記述してもよい。とくに、平面画像のタグ情報にのみ上記情報を記述することにより、平面画像と立体視画像が混在して保存されている場合において、確実に表示可能な平面画像のみを先に参照するようにすれば、それに関連する立体視画像があるか否かを確認することができるため、立体視画像を容易に探すことができる。
【００６１】
また、上記実施形態においては、立体視画像および平面画像を静止画像として説明しているが、動画像の立体視画像から平面画像を生成するようにしてもよい。
【図面の簡単な説明】
【図１】本発明の第１の実施形態による立体視画像管理装置を適用した立体視画像撮影システムの構成を示す概略ブロック図
【図２】立体視画像および平面画像の例を示す図（その１）
【図３】保存装置におけるフォルダ構造を示す図
【図４】立体視画像および平面画像のファイル構造を示す図
【図５】第１の実施形態において行われる処理を示すフローチャート
【図６】本発明の第２の実施形態による立体視画像管理装置を適用した立体視画像カメラの構成を示す概略ブロック図
【図７】立体視画像の例を示す図
【図８】立体視画像および平面画像の例を示す図（その２）
【図９】立体視画像および平面画像の例を示す図（その３）
【図１０】立体視画像および平面画像の例を示す図（その４）
【図１１】３台の撮像装置を用いた立体視画像撮影システムの構成を示す概略ブロック図
【図１２】３台の撮像装置により取得される画像を示す図
【符号の説明】
１    立体視画像撮像システム
２    平面画像
３Ａ，３Ｂ    立体視画像
１１，１２，１７    撮像装置
１３    画像処理装置
１４    保存装置
２０Ａ，２０Ｂ    撮像部
３２    ２Ｄ／３Ｄ画像処理部
３６    保存部
２００    立体視画像カメラ
【図１】
2004356997.tif 000003
【図２】
2004356997.tif 000004
【図３】
2004356997.tif 000005
【図４】
2004356997.tif 000006
【図５】
2004356997.tif 000007
【図６】
2004356997.tif 000008
【図７】
2004356997.tif 000009
【図８】
2004356997.tif 000010
【図９】
2004356997.tif 000011
【図１０】
2004356997.tif 000012
【図１１】
2004356997.tif 000013
【図１２】
2004356997.tif 000014